(57)【要約】      （修正有）【課題】ユーザにとって快適な文字入力環境を提供する。【解決手段】数字の入力を受付ける操作部１０２と、各種表示を行う入力エリアと補助エリアを備える表示部１０１と、数字の組合せと文字一つとの対応が記録されている５０音データと、文字列と語句群との対応が記録されている予測変換データと、を記憶している記憶部１０３と、所定の文字列が入力エリアに表示された場合、予測変換データの内容を参照して、対応する所定の語句群を補助エリアへ表示させる予測変換入力処理と操作部１０２から所定の数字の組合せを受付けた場合、５０音データを参照して、対応する所定の文字一つを入力エリアへ表示させる母音子音入力処理とが可能である制御部１０４とを備え、制御部１０４は所定の条件に応じて、補助エリアへ５０音データに基づく５０音表を表示する。【選択図】図２
2008210119.tif 000002
【特許請求の範囲】
【請求項１】
数字の入力を受付ける操作部と、
各種表示を行う入力エリアと補助エリアとを備える表示部と、
前記テンキーにより入力される１回目入力数字と２回目入力数字と、平仮名一文字との対応が複数記録されている５０音データと、文字列と語句群との対応が記録されている予測変換データと、を記憶している記憶部と、
所定の文字列が入力エリアに表示された場合、予測変換データの内容を参照して、対応する所定の語句群を前記補助エリアへ表示させる予測変換入力処理と、前記操作部から１回目入力数字と２回目入力数字とを受付けた場合、５０音データを参照して、対応する所定の文字一つを前記入力エリアへ表示させる母音子音入力処理とが可能である制御部とを備え、
前記制御部は所定の条件に応じて前記補助エリアへ５０音データに基づく５０音表を表示する、
ことを特徴とする文章作成装置。
【請求項２】
前記所定の条件とは、前記操作部が前記１回目入力数字の入力を受付けた後前記一定時間のあいだ前記操作部より入力を受付けなかったときである
ことを特徴とする請求項１に記載の文章作成装置。
【請求項３】
前記所定の条件とは、前記２回目入力数字が前記操作部より入力されてから前記一定時間前記操作部より入力を受付けないときである
ことを特徴とする請求項１に記載の文章作成装置。
【請求項４】
前記制御部は前記１回目入力数字の内容に該当する箇所が強調表示された前記５０音表を前記補助エリアへ表示させる
ことを特徴とする請求項２に記載の文章作成装置。
【請求項５】
前記補助エリアへ前記５０音表を表示していないとき、前記制御部が前記５０音表を前記補助エリアへ表示させる５０音受付けキーを前記操作部に更に備える
ことを特徴とする請求項１から４のいずれかに記載の文章作成装置。
【発明の詳細な説明】
【技術分野】
【０００１】
本発明は、携帯電話のテンキーにより文字を入力する携帯電話における文章作成装置に関する。
【背景技術】
【０００２】
近年、携帯電話は、インターネット接続を用いたＷｅｂサイトの閲覧、メール送受信など文字の電子データを取り扱うことが多く、その結果携帯電話より文字を入力する頻度が高まっている傾向にある。
【０００３】
しかしながら、持ち運びされることが前提の携帯電話はその筐体を出来る限り小型化しなければならないといった制約があり、その結果文字入力は電話番号を入力するために用いられる「０」〜「９」のテンキーやその他数個のキーのみで従来から行われてきた。このような場合文字の入力方式は、例えば「１」キーを５回押下すると、あ行の「お」が入力される。また、濁点付きの文字の場合、例えば「か」を入力した後に濁点、半濁点がキーアサインされている「＊」を１回押下することにより「が」が入力される。また「きゃ」「じょ」といった表現に用いられる小文字においては、「ゃ」を入力する際には「８」キーを４回押下、「ゅ」を入力する際には「８」キーを６回押下することにより入力される。  
ところがこのような方法では、目的の文字を入力するためのテンキー押下回数は、多数のキーを具備しているパーソナルコンピュータ等に比べて多くなってしまうので、テンキーによる文字入力の操作性はパーソナルコンピュータ等のキーの多い入力部を持つ装置に比べて劣ってしまう。
【０００４】
かかる問題に対応して、このようなテンキーを用いた文字入力の操作性を向上させる方法は幾つか提案されている。例えば特開２００３−２５６４１６に示されているように、予測変換入力処理を用いる方法がある。これは予め、平仮名文字列（文字列）と、その平仮名文字列と最初の読み部分に一致する語句群との組合せを記録した予測変換データを用意しておき、外部から入力された前記平仮名文字列に対応した前記語句群の一覧である予測変換候補群を外部へ表示し、ユーザへその一覧内から前記語句群を選択させるというものである。
【０００５】
また、例えば特開２００２−３４２０１２に示されているように、母音子音入力処理を用いる方法もある。これは、例えば「あ行」→「１」、「か行」→「２」、「さ行」→「３」、「た行」→「４」…といった具合で５０音表の子音にテンキーのキーがアサインされ、同様にして「あ音」→「１」、「い音」→「２」、「う音」→「３」、「え音」→「４」、「お音」→「５」と母音にもテンキーのキーがアサインされている。このようにテンキーがアサインされることによって、例えば「く」を入力する場合は１タッチ目に「か行」にアサインされている「２」を入力、続いて２タッチ目に「う音」にアサインされている「３」を入力すればよい。このように母音子音入力処理は、子音のキーを１回、母音のキーを１回押下するだけで平仮名一文字を入力することが出来るので、当該母音子音入力処理に慣れたユーザに対して文字入力の操作性を向上させることが可能である。
【０００６】
図１０は、１タッチ目、２タッチ目の数字の組合せと、平仮名一文字との関係を示した表を示したものである。図１０に示された表においては、平仮名一文字の他にもアルファベット、記号、数字も１タッチ目、２タッチ目の入力に対応している。
【特許文献１】特開２００３−２５６４１６
【特許文献２】特開２００２−３４２０１２
【発明の開示】
【発明が解決しようとする課題】
【０００７】
しかしながら、例えば先行技術の特開２００３−２５６４１６に開示された発明においては、予測変換入力処理のみを用いることが出来ても母音子音入力処理を併せて使用することは難しい。
【０００８】
また母音子音入力処理は、５０音表を覚えている熟練者のユーザにとっては文字入力の操作性は向上するものの、５０音表を覚えていない初心者のユーザにとっては文字入力の操作性は通常の入力よりも悪くなってしまう。
【０００９】
本発明の目的は、どのようなユーザにとってもより快適な文字入力環境を提供することにある。
【課題を解決するための手段】
【００１０】
本発明の文章作成装置は、数字の入力を受付ける操作部と、各種表示を行う入力エリアと補助エリアとを備える表示部と、前記テンキーにより入力される１回目入力数字と２回目入力数字と、平仮名一文字との対応が複数記録されている５０音データと、文字列と語句群との対応が記録されている予測変換データと、を記憶している記憶部と、所定の文字列が入力エリアに表示された場合、予測変換データの内容を参照して、対応する所定の語句群を前記補助エリアへ表示させる予測変換入力処理と、前記操作部から１回目入力数字と２回目入力数字とを受付けた場合、５０音データを参照して、対応する所定の文字一つを前記入力エリアへ表示させる母音子音入力処理とが可能である制御部とを備え、前記制御部は所定の条件に応じて前記補助エリアへ５０音データに基づく５０音表を表示する。
【００１１】
好適には、前記所定の条件とは、前記操作部が前記１回目入力数字の入力を受付けた後前記一定時間のあいだ前記操作部より入力を受付けなかったときである。
【００１２】
好適には、前記所定の条件とは、前記２回目入力数字が前記操作部より入力されてから前記一定時間前記操作部より入力を受付けないときである。
【００１３】
好適には、前記制御部は前記１回目入力数字の内容に該当する箇所が強調表示された前記５０音表を前記補助エリアへ表示させる。
【００１４】
好適には、前記補助エリアへ前記５０音表を表示していないとき、前記制御部が前記５０音表を前記補助エリアへ表示させる５０音受付けキーを前記操作部に更に備える。
【発明の効果】
【００１５】
本発明によれば、どのようなユーザにとってもより快適な文字入力環境を提供することが出来る。
【発明を実施するための最良の形態】
【００１６】
以下、本発明を実施する為の最良の実施形態について説明する。  
図１は、本発明における実施例の一つである携帯電話機１００（文章作成装置）の外観斜視図である。また図２は、本発明における実施形態の一つである携帯電話機１００の主要な構成を示したブロック図である。  
携帯電話機１００は、表示部１０１を外面に備える上部筐体と操作部１０２を外面に備える下部筐体の二つの筐体から成り、上部筐体、下部筐体の互いの端部をヒンジ部にて結合することにより一体形成されている。また、携帯電話機１００は、その筐体内部に後に詳述する記憶部１０３、制御部１０４が備えられている。携帯電話機１００は、通話、メール送受信などで使用される場合、図１（ａ）に示されたとおりに上部筐体と下部筐体が開かれた状態となる。また、鞄やポケットの中へ収納された状態で持ち歩かれる際には、図１（ｂ）に示すように表示部１０１と操作部１０２が重ね合わせられるように上部筐体と下部筐体が折り畳まれた閉状態となる。
【００１７】
操作部１０２には、押下されることにより「０」から「９」までの全ての一桁の数字が携帯電話機１００へ入力できるテンキーが配されている。または同様に押下されることにより「＃」や「＊」記号を携帯電話機１００へ入力することが出来る記号ボタンが配されている。また、表示部１０１に表示された内容が選択される際に用いられる上下左右キーや、選択事項が決定される際に用いられる決定キーなども配されている。また、表示部１０１のヒンジ側に適宜表示される内容を選択する為のソフトキーも配されているほか、閉状態においても外部からの入力の受付けが可能となるように、下部筐体に備えられる面のうち、操作部１０２が配されている面以外にサイドキーと呼ばれるボタンなどが配されている。
【００１８】
表示部１０１は、例えば液晶や有機ＥＬ（Ｏｒｇａｎｉｃ  Ｌｉｇｈｔ  Ｅｍｉｔｔｉｎｇ  Ｄｉｏｄｅ）等のディスプレイを有するデバイスであり各種表示を表示する。携帯電話機１００は、文字入力を操作部１０２から受付けた際に表示部１０１へ図５に示すような画面構成で表示を行わせる。つまり、表示部１０１の画面を上下方向に三分割し、上段に入力エリア１０１Ａ（第１表示エリア）を、中断に補助エリア１０１Ｂ（第２表示エリア）を、下段に母音子音入力表示部１０１Ｃを表示する。  
入力エリア１０１Ａは、表示部１０１の略上半分の画面からなるもので、操作部１０２から受付けた内容や予測変換候補群から選択された語句群などが書き込まれてゆく箇所である。また補助エリア１０１Ｂは、ユーザによって入力エリア１０１Ａへ文字が書き込まれる際に、ユーザを補助する各種情報を表示する箇所である。例えば後に詳述する５０音表１０１Ｂ１（対応関係情報）や、予測変換候補群１０１Ｂ２（語句群）などを表示する。
【００１９】
記憶部１０３は、携帯電話機１００が機能するために必要な様々なデータが保存されているデバイスであり、例えばユーザにより登録されるアドレス帳の名前、電話番号、ｅ−メールアドレスなどが保存されている。更に、予測変換入力処理の際になどに用いられる予測変換データ１０３Ａ（後に詳述）と、母音子音入力処理の際などに用いられる５０音データ１０３Ｂ（後に詳述）などが保存されている。
【００２０】
制御部１０４は、携帯電話機１００が機能するために必要な様々な各種制御を行うデバイスであり、例えばアンテナ部（不図示）から受信した信号を音声信号へ変換しスピーカ部（不図示）へ伝達したり、また逆にマイク部（不図示）から入力された音声信号を符号化してアンテナ部に外界へ送信させたりする機能を持つ。また、前述した表示部１０１への表示を制御する機能や記憶部１０３に記録されている各種データの内容を参照して各種制御を行う機能も併せて持つ。更にこの制御部１０４は、予測変換入力処理と母音子音入力処理とを行う機能も有する。
【００２１】
最初に予測変換入力処理について説明する。予測変換入力処理とは、前述したとおり平仮名文字列（文字列）と、その平仮名文字列と最初の読み部分に一致する語句群との対応関係が記録された記憶部１０３に格納されている予測変換データを用い、操作部１０２から入力された前記平仮名文字列に対応した前記語句群の一覧である予測変換候補群を補助エリア１０１Ｂへ表示し、ユーザへその一覧内から前記語句群を選択、決定させ入力エリア１０１Ａへ文字を表示してゆくというものである。
【００２２】
次に母音子音入力処理について説明する。母音子音入力処理とは、２タッチ入力とも呼ばれるものであり、1回目入力数字と２回目入力数字からなる二桁数字（数字の組合せ）と平仮名一文字（文字一つ）との対応関係が記録された記憶部１０３に格納されている５０音データを用い、操作部１０２から入力された前記二桁数字に対応した平仮名一文字を入力エリア１０１Ａへ表示するというものである。また、この二桁数字は、操作部１０２のテンキーが二回押下されることによって入力され、１タッチ目に入力される値（１回目入力数字）が二桁数字の１０の位となり、２タッチ目に入力される値（２回目入力数字）が二桁数字の１の位となる。
【００２３】
これは、例えば「あ行」→「１」、「か行」→「２」、「さ行」→「３」、「た行」→「４」…といった具合で５０音表の子音に操作部１０２のテンキーがアサインされ、同様にして「あ音」→「１」、「い音」→「２」、「う音」→「３」、「え音」→「４」、「お音」→「５」と母音にも操作部１０２のテンキーがアサインされている。このようにテンキーがアサインされることによって、例えば「く」を入力する場合は１タッチ目(1回目入力数字)に「か行」にアサインされている「２」を入力、続いて２タッチ目（２回目入力数字）に「う音」にアサインされている「３」を入力すれば「く」が入力エリア１０１Ａへ入力される。言い換えれば、二桁数字「２３」に対して、「く」という平仮名一文字が割り当てられている。同様にして、例えば「５２」という二桁数字には「に」という平仮名一文字が対応していることとなるので、１タッチ目に「５」、２タッチ目に「２」という入力を操作部１０２が受付ければ制御部１０４は、「に」という入力を受付けたと認識する。この二桁数字（１タッチ目の数字と２タッチ目の数字の組合せ）と平仮名一文字の対応関係は、５０音データ１０３Ｂに記録されているものであり、それを模式的に表したものが図１０に示した５０音表である。図１０において示した５０音表、つまり記憶部１０３に格納されている５０音データ１０３Ｂには、二桁数字と平仮名一文字の対応以外に、所定の二桁数字とアルファベット一文字、数字一つ、記号一つとの対応関係も記されている。このように母音子音入力処理は、子音のキーを１回、母音のキーを１回押下するだけで平仮名一文字を入力することが出来るので、当該母音子音入力処理に慣れたユーザに対して文字入力の操作性を向上させることが可能である。
【００２４】
次に本発明における実際の処理の流れを図３、図４、図５、図６、図７、図８、図９を用いて説明する。  
図３は、本発明が実施される携帯電話機１００において、文字入力が開始されてから実際に、本発明が実行されるまでの流れを示したフローチャートである。まず文章入力が開始されると、制御部１０４は、文章入力が開始される前にユーザによって予測変換入力処理と母音子音入力処理の両方共を行うように設定されているか否かを確認する（Ｓ３０１）。予測変換入力処理のみが行われるように設定されていた場合は予測変換入力処理のみで文字入力を開始し（Ｓ３０１／Ｎ、Ｓ３０５／Ｙ、Ｓ３０６）、母音子音入力処理のみが行われるように設定されていた場合には母音子音入力処理のみで文字入力を開始する（Ｓ３０１／Ｎ、Ｓ３０５／Ｎ、Ｓ３０７）。そして、予測変換入力処理と母音子音入力処理、両方が行われるように文章入力の前に予め設定されていた場合には、混合処理が開始される（Ｓ３０１／Ｙ、Ｓ３０２）。
【００２５】
図４は、図３のステップＳ３０２にいて示された混合処理の具体的内容について示したフローチャートである。また図５は、図４の処理が開始された直後の表示部１０１の画面である。図３において示したように、予測変換入力処理と母音子音入力処理の両方を用いるように予め設定された状態で文章入力が開始されると（Ｓ４０１／Ｙ）、補助エリア１０１Ｂには５０音データに記録されている対応関係を示した５０音表１０１Ｂ１が表示される（Ｓ４０２）（図５）。このようにして文字入力が開始されたときに既に５０音表１０１Ｂ１が表示されるよう設定されていると、少なくとも予測変換入力処理を用いるように予め設定していたことをユーザへ認知させることが可能である。
【００２６】
次に携帯電話機１００は、図５に示した画面の状態で操作部１０２から１タッチ目の入力を受付ける（Ｓ４０３）。図６は、１タッチ目の入力を操作部１０２から受付けたときの表示部１０１の画面構成である。１タッチ目の入力を受付けると、制御部１０４は実際にユーザからどのような入力を受付けたかを示す為に母音子音入力表示部１０１Ｃへ１タッチ目の入力を表示する。図６に示した例では１タッチ目の入力で「３」を受付けた状態を示している。すると、５０音表１０１Ｂ１は既に表示されている状態なので（Ｓ４０４／Ｙ）、１タッチ目に入力された「３」に対応する文字の「さ」「し」「す」「せ」「そ」「Ｋ」「Ｌ」「Ｍ」「Ｎ」「Ｏ」が他の部分よりより大きなフォントが利用される等して強調表示される（Ｓ４０５）。なおこの強調表示は、大きなフォントを用いられる以外にも「さ」「し」「す」「せ」「そ」「Ｋ」「Ｌ」「Ｍ」「Ｎ」「Ｏ」の書かれているマス目が色付きで表示されるような方法で強調表示されても良い。このように、１タッチ目の入力と合致する５０音表１０１Ｂ１の内容が強調表示されることにより、ユーザに対して２タッチ目の入力に対応した文字を示すことが可能となり、ユーザへ２タッチ目に入力すべき数字へ誘導することが可能となる。
【００２７】
次に、操作部１０２より２タッチ目の入力内容を受付けたら、図７（ａ）に示すように入力した二桁数字（１タッチ目、２タッチ目の組合せ）に対応した平仮名一文字を入力エリア１０１Ａへ表示させる（Ｓ４０８）。図７（ａ）に示した例では、１タッチ目に「３」２タッチ目に「３」を受付けた場合を示している。つまり、二桁数字「３３」に対応した平仮名一文字「す」が携帯電話機１００へ入力された状態を示している。このとき図７（ａ）に示すように、入力された平仮名一文字の「す」は、入力エリア１０１Ａへ表示される。そして、このとき補助エリア１０１Ｂには、「す」という一文字の平仮名文字列に対応する予測変換候補群１０１Ｂ２が表示される（Ｓ４０９）。
【００２８】
次に、制御部１０４は、予測変換候補群１０１Ｂ２にフォーカスするか否かの入力を操作部１０２より受付けるまで待機し、この待機する時間が一定時間以上だと再び５０音表１０１Ｂ１を表示部１０１へ表示させる（Ｓ４１０／Ｎ、Ｓ４１３／Ｙ、Ｓ４０２、図８（ａ））。なお、この際の操作部１０２が受付けるフォーカスするか否かの入力とは、例えば上下左右のキーのうちの下キーである。つまり、平仮名一文字が入力エリア１０１Ａへ表示されてからユーザからの入力が一定時間ない場合、当該平仮名一文字を平仮名文字列としてユーザがみなしていないと考えられる。  
よって、予測変換候補群１０１Ｂ２の代わりに５０音表１０１Ｂ１を表示して平仮名二文字目の入力の受付を待機している状態となる。言い換えると、平仮名一文字が入力エリア１０１Ａへ表示されてからユーザからの入力が一定時間ない場合というのは、予測変換候補群１０１Ｂ２にユーザが所望する語句が存在せず、且つ母音子音入力処理を用いて更に入力エリア１０１Ａに表示されている平仮名文字列を長くして予測変換候補群１０１Ｂ２の数をユーザが限定したいと考えているとみなされるときである。このような場合において、制御部１０４が補助エリア１０１Ｂへ５０音表１０１Ｂ１を表示させる次に述べる効果を奏することとなる。その効果とは、つまりユーザが母音子音入力処理を用いて入力エリア１０１Ａにある平仮名文字列の長さを増やしたいという要望に対し、５０音表１０１Ｂ１を表示することによってユーザの平仮名二文字目の入力を助けるという効果である。この効果によって、制御部１０４は再び母音子音入力処理を用いて、入力エリア１０１Ａに既に表示されている平仮名一文字目の右に平仮名二文字目を入力しようとするユーザを、５０音表１０１Ｂ１を表示することによりアシストすることが出来る。
【００２９】
上述した内容について、具体的事例を用いて説明する。つまり、図７（ａ）にて示したように、母音子音入力処理によって入力エリア１０１Ａへ「す」と一文字入力された状態で、操作部１０２が一定時間入力を受付けないと補助エリア１０１Ｂに５０音表１０１Ｂ１が表示される（図８（ａ））。この状態で、操作部１０２からユーザが所望する平仮名二文字目の１タッチ目に相当する入力「９」の入力を受付けると、５０音表１０１Ｂ１の「ら」「り」「る」「れ」「ろ」「１」「２」「３」「４」「５」が前述したとおり強調表示され、母音子音入力表示部１０１Ｃに「９」と表示される（図８（ａ））。  
更にこの状態で、操作部１０２から平仮名二文字目の２タッチ目に相当する「２」の入力を受付けると入力エリア１０１Ａに表示されている「す」の右に平仮名二文字目の「り」が表示され、更に補助エリア１０１Ｂには５０音表１０１Ｂ１に代わって予測変換候補群１０１Ｂ２が表示されるようになる（図８（ｂ））。このときに表示される予測変換候補群１０１Ｂ２には、「すり」という二文字の平仮名文字列に対応した語句群が表示される（図８（ｂ））。つまり、入力エリア１０１Ａへ「す」のみが表示されているときに、補助エリア１０１Ｂへ表示された予測変換候補群１０１Ｂ２には表示されなかった「スリッパ」を選択することが可能となる。（Ｓ４０８、Ｓ４０９）  
なお、上述した一定時間は、操作部１０２からの入力により任意の値が設定されるようにしても良い。このように構成することにより、ユーザがより所望するタイミングで５０音表１０１Ｂ１を補助エリア１０１Ｂへ表示することが可能となる。
【００３０】
また、先程図８（ａ）を用いて説明した際に、ステップＳ４１３において一定時間が経過しないうちに操作部１０２が予測変換候補群１０１Ｂ２へのカーソルの移動を受付けた場合、制御部１０４は予測変換候補群１０１Ｂ２を非アクティブ状態からアクティブ状態へとする（Ｓ４１３／Ｎ、Ｓ４１０／Ｙ）。なお、カーソルを移動させて予測変換候補群１０１Ｂ２を非アクティブ状態からアクティブ状態へと遷移させることを、予測変換候補群１０１Ｂ２へフォーカスするとも言う。そして、制御部１０４は、図７（ｂ）または図８（ｂ）に示したように予測変換候補群１０１Ｂ２中の語句群をユーザが選択／決定できるようにする。なお、図７（ｂ）において示したものは、入力エリア１０１Ａへ「す」の一文字が入力された際に予測変換候補群１０１Ｂ２へフォーカスすることを操作部１０２が受付け、「すき焼き」という語句が選択／決定されたときの様子を示したものである。また、図８（ｂ）において示したものは、入力エリア１０１Ａへ「すり」と文字が入力された際に予測変換候補群１０１Ｂ２へフォーカスすることを操作部１０２が受付け、「スリッパ」という語句が選択／決定したときの様子を示したものである。
【００３１】
このようにしてステップＳ４１１まで進んだ後、図３のステップＳ３０４に示すように、制御部１０４は文章入力が終了するか否かを操作部１０２より受付け、もし文章入力が終了されるのならば制御部１０４は文章入力を終了する（Ｓ３０４／Ｎ）。また、文章入力が終了されず引き続き行われる際は、Ｓ３０２の処理を再び繰り返す（Ｓ３０４／Ｙ）。  
なお、具体的に説明すると、上に述べた文章入力が終了する場合というのは、例えばメールの作成を終了した後に送信ボタンが押された場合などである。
【００３２】
ステップＳ３０２が再び繰り返される際、ステップＳ４０１において母音子音入力処理と予測変換入力処理が共にＯＮになっていることは既に確認されているので、制御部１０４はステップＳ４０１／Ｎの段階へと進む。そして、前述したとおり予測変換候補群１０１Ｂ２から特定の語句が選択／決定された際、予測変換候補群１０１Ｂ２の表示されている補助エリア１０１Ｂはアクティブ状態から非アクティブ状態へとなる。ステップＳ４１２の段階において操作部１０２が入力を受付けない状態が非アクティブ状態から一定時間以上続いた場合、制御部１０４は５０音表１０１Ｂ１を補助エリア１０１Ｂへ表示させるよう制御する（Ｓ４１２／Ｙ）。つまり、一定時間以上操作部１０２が入力を受付けなかった場合、ユーザが文字入力の方法に悩んでいると考えられるので、制御部１０４はユーザの文字入力を補助する為に５０音表１０１Ｂ１を補助エリア１０１Ｂへ表示する（Ｓ４０２）。よって、上に述べた構成によって、ユーザの文字入力手助けすることが可能となる。また、一定時間内に操作部１０２が入力を受付けた場合、制御部１０４は、補助エリア１０１Ｂへ５０音表１０１Ｂ１を表示させずにステップＳ４０４の段階へと進む（Ｓ４１２／Ｎ）。これは、ユーザにとって５０音表１０１Ｂ１の表示が必要ないと解されるためである。  
なお先程と同様に、上述した一定時間は、操作部１０２からの入力により任意の値が設定されるようにしても良い。このように構成することにより、ユーザがより所望するタイミングで５０音表１０１Ｂ１を補助エリア１０１Ｂへ表示することが可能となる。
【００３３】
次に、操作部１０２より１タッチ目の入力を再び受付ける（Ｓ４０３）。すると、制御部１０４は、５０音表１０１Ｂ１が補助エリア１０１Ｂに既に表示されている状態かを判断する。補助エリア１０１Ｂに既に５０音表１０１Ｂ１が表示されていた場合（Ｓ４０４／Ｙ）、先程述べたようにステップＳ４０５の段階へと進む。ステップＳ４０５より先の段階は前述したとおりである。  
また、補助エリア１０１Ｂに５０音表１０１Ｂ１が表示されていない場合、操作部１０２から１タッチ目の入力がなされてから、一定時間以上経過したかを制御部１０４は判断する（Ｓ４０６）。１タッチ目の入力がなされてから一定時間以上経過した場合（Ｓ４０６／Ｙ）、ステップＳ４０５のときと同様に、１タッチ目の入力と合致する５０音表１０１Ｂ１の内容が強調表示された５０音表１０１Ｂ１が補助エリア１０１Ｂへ表示される（Ｓ４０７）。このように、１タッチ目の入力と合致する５０音表１０１Ｂ１の内容が強調表示されることにより、ステップＳ４０５の時と同様にユーザに対して２タッチ目の入力に対応した文字を示すことが可能となり、ユーザへ２タッチ目に入力すべき数字へ誘導することが可能となる。  
なおこの場合も先程と同様に、上述した一定時間は、操作部１０２からの入力により任意の値が設定されるようにしても良い。このように構成することにより、ユーザがより所望するタイミングで５０音表１０１Ｂ１を補助エリア１０１Ｂへ表示することが可能となる。
【００３４】
よって、前述したように操作部１０２からの入力が一定時間以上受付けられなかった場合に補助エリア１０１Ｂへ５０音表１０１Ｂ１を表示させることによって、ユーザの文字入力を手助けすることが可能となる。しかしながら、ユーザが全く５０音表１０１Ｂ１を覚えていないときなどは、一定時間以上待つ前に、ユーザが５０音表１０１Ｂ１を見たいという場合も考えられる。そのような場合に備え、操作部１０２に備えてあるキーの一つに「５０音受付けキー」なる機能がアサインされていても良い。この５０音受付けキーの動作内容を示したフローチャートを図９に示す。この５０音受付けキーとは、補助エリア１０１Ｂの表示内容が５０音表１０１Ｂ１以外であった場合に押下されると、補助エリア１０１Ｂの表示内容を強制的に５０音表１０１Ｂ１へと変更するキーである（Ｓ９０１／Ｎ、Ｓ９０２）。また、補助エリア１０１Ｂに既に５０音表１０１Ｂ１が表示されている状態で押下されても入力エリア１０１Ａの画面表示は何も変化しない（Ｓ９０１／Ｙ）。よって、上に述べたように操作部１０２に備えられた５０音受付けキーから入力を受付ける構成によって、ユーザの望む任意のタイミングで５０音表１０１Ｂ１を補助エリア１０１Ｂへ表示することが可能となる。
【００３５】
以上説明したように、本実施携帯の携帯電話機１００によれば、従来技術とは違い、予測変換入力処理と母音子音入力処理の両方の機能を用いることが可能となる。更にユーザの望むタイミングで母音子音入力処理に必要な５０音表１０１Ｂ１を補助エリア１０１Ｂへ表示し、ユーザの入力を手助けすることが可能である。また、制御部１０４は、補助エリア１０１Ｂへ５０音表１０１Ｂ１を逐一表示させることにより、ユーザへ５０音表１０１Ｂ１の記憶を促す作用をも有するので、ユーザが５０音表１０１Ｂ１を学習する場が増えるという効果を奏することが可能となる。
【００３６】
なお、本発明の実施形態はこれに限定されるものではない。例えば、実施形態は携帯電話機１００に限定されなくてもよく、ＰＤＡ（Ｐｅｒｓｏｎａｌ  Ｄｉｇｉｔａｌ  Ａｓｓｉｓｔａｎｔｓ）やＰＨＳ（Ｐｅｒｓｏｎａｌ  Ｈａｎｄｙｐｈｏｎｅ  Ｓｙｓｔｅｍ）など、テンキーによる入力が主な入力受付部である機器において実施されてもよい。
【図面の簡単な説明】
【００３７】
【図１】（ａ）本発明の実施形態に係る携帯電話機の開いた状態の外観図である。（ｂ）本発明の実施携帯に係る携帯電話機の閉じた状態の外観図である。
【図２】本発明における実施形態の一つである携帯電話機の主要な構成を示したブロック図である。
【図３】本発明が実施される携帯電話機１００において、文字入力が開始されてから実際に、本発明が実行されるまでの流れを示したフローチャートである。
【図４】図３のステップＳ３０２にいて示された混合処理の具体的内容について示したフローチャートである。
【図５】図４の処理が開始された直後の表示部１０１の画面構成の一例である。
【図６】１タッチ目の入力を操作部１０２から受付けたときの表示部１０１の画面構成の一例である。
【図７】（ａ）（ｂ）図４の処理Ｓ４０８、Ｓ４０９が行われた際の表示部１０１の画面構成の一例である。
【図８】（ａ）（ｂ）図４の処理Ｓ４０８、Ｓ４０９が行われた際の表示部１０１の画面構成の一例である。
【図９】５０音受付けキーの動作を示したフローチャートである。
【図１０】１タッチ目、２タッチ目の数字の組合せと、平仮名一文字との関係を示した表である。
【符号の説明】
【００３８】
１００…携帯電話機
１０１…表示部
１０１Ａ…入力エリア
１０１Ｂ…補助エリア
１０１Ｂ１…５０音表
１０１Ｂ２…予測変換候補群
１０１Ｃ…母音子音入力表示部
１０２…操作部
１０３…記憶部
１０４…制御部
【図１】
2008210119.tif 000003
【図２】
2008210119.tif 000004
【図３】
2008210119.tif 000005
【図４】
2008210119.tif 000006
【図５】
2008210119.tif 000007
【図６】
2008210119.tif 000008
【図７】
2008210119.tif 000009
【図８】
2008210119.tif 000010
【図９】
2008210119.tif 000011
【図１０】
2008210119.tif 000012